(57)【要約】【課題】流通業者側に設置される電子ＰＯＰ機器に対して流通商品情報や宣伝広告情報等のコンテンツデータをインターネット等のネットワーク上の管理サーバを介して配信して商品情報や宣伝広告情報を表示させるとともに配信するコンテンツデータをネットワーク上で設定したり登録したり、変更したり、更新したりすることができるようにする。【解決手段】第１流通業者Ａ側の電子ＰＯＰ機器Ａａと、コンテンツデータを生成するための生成指定情報と流通品やその宣伝広告等に関する素材データを送信可能な第２流通業者Ｂ側の端末機器Ｂａと、前記コンテンツデータを配信する電子ＰＯＰサービス提供業者Ｃ側の情報管理サーバＣａと、該第１流通業者Ａ側の電子ＰＯＰ機器Ａａと第２流通業者Ｂ側の端末機器Ｂａと電子ＰＯＰサービス提供業者Ｃ側の情報管理サーバＣａとを接続するインターネット等の電気通信回線ネットワークＮとを備える。【選択図】図１
2009058737.tif 000002
【特許請求の範囲】
【請求項１】
流通情報やその宣伝広告情報等を電子ＰＯＰ表示用のコンテンツデータに基づいて映像情報として出力表示する第１流通業者側の電子ＰＯＰ機器と、前記電子ＰＯＰ表示用のコンテンツデータを生成するための生成指定情報と流通品やその宣伝広告等に関する素材データを送信可能な第２流通業者側の端末機器と、前記電子ＰＯＰ表示用のコンテンツデータを配信する電子ＰＯＰサービス提供業者側のデータ管理サーバと、該第１流通業者側の電子ＰＯＰ機器と第２流通業者側の端末機器と電子ＰＯＰサービス提供業者側のデータ管理サーバとを接続するインターネット等の電気通信回線ネットワークとを備え、前記電子ＰＯＰサービス提供業者側のデータ管理サーバは、第２流通業者側の端末機器から送信された生成指定情報と流通品やその宣伝広告等に関する前記素材データに基づいて、電子ＰＯＰ表示用のコンテンツデータを生成して指定された第１流通業者側の電子ＰＯＰ機器に配信し、該電子ＰＯＰ機器は受信した前記コンテンツデータに基づいて映像情報を出力表示することを特徴とする電子ＰＯＰ表示情報配信システム。
【請求項２】
前記電子ＰＯＰ機器は、電子ＰＯＰサービス提供業者側のデータ管理サーバからの指示により第１流通業者側に設置される請求項１記載の電子ＰＯＰ表示情報配信システム。
【請求項３】
前記第１流通業者側の電子ＰＯＰ機器は、第２流通業者Ｂ側の端末機器からの指示により第１流通業者側に設置される請求項１記載の電子ＰＯＰ表示情報配信システム。
【発明の詳細な説明】
【技術分野】
【０００１】
本発明は、食料品や家電品、家具等の家庭用品、衣料、日用品等の商品を販売するスーパーマーケットやコンビニエンスストア、量販店等の流通店舗に設置して、流通品情報や広告情報などを表示する電子ＰＯＰ機器（電子式広告情報表示装置）に対して、表示用のコンテンツデータを配信して、流通品情報や広告情報などを映像情報（画像情報）として表示させる電子ＰＯＰ表示情報配信システムに関する。
【背景技術】
【０００２】
近年、スーパーマーケットやコンビニエンスストア等の商品の流通店舗においては、その店舗内の商品陳列棚等に陳列されている商品に関する商品情報や宣伝広告情報等のコンテンツが、顧客向けに、その陳列棚等の複数個所に設置された小型液晶ディスプレイ等の電子ＰＯＰ（機器）のディスプレイ画面に動画や静止画として放映されるようになっている。
【０００３】
このような電子ＰＯＰを用いた店舗取り扱い商品に関する商品情報や宣伝広告等の画像放映システムとしては、例えば、特許文献１、特許文献２、特許文献３などがあるが、このような流通店舗に電子ＰＯＰを設置して、商品情報や宣伝広告情報などの映像や広告等のコンテンツデータを再生して流す場合、事前に１つずつ電子ＰＯＰに対して商品情報や宣伝広告情報等のコンテンツデータを設定したり登録していた。
【０００４】
また流通店舗に設置された電子ＰＯＰ上で再生するコンテンツデータを変更したり、更新する場合には、その電子ＰＯＰを流通店舗から取り外して、コンテンツ内容を手作業で入れ替えていた。そのため１つの流通店舗でなく複数の流通店舗に設置している電子ＰＯＰのコンテンツデータを同時に変更、更新する場合は、手作業による人海戦術で行っていた。
【０００５】
また流通店舗に電子ＰＯＰを設置する場合は、その流通店舗に対して、電子ＰＯＰを用いたコンテンツデータ（ソフトウエア）の店舗内放映を提供する電子ＰＯＰサービス提供業者（ソフトウエアメーカー）が電子ＰＯＰ機器（ハードウエア）を用意するとともに設置施工を行っていた。
【０００６】
以下に、本願に関連する先行技術文献を記載する。
【特許文献１】特開平１１−０１５３７６号公報
【特許文献２】特開２０００−０９８８９２号公報
【特許文献３】特開２００４−２２７１２６号公報  このように電子ＰＯＰに対してコンテンツデータを設定登録したり、変更したり、更新する際は、１つずつ手作業で行う必要があり、流通店舗に出向いて、その現場にて、あるいは持ち帰って、コンテンツデータを手作業で設定登録、変更、更新する必要がある。そのために複数の店舗で作業を行う場合には、作業人員や大変な手間が掛かっていた。
【０００７】
また、複数の店舗にて同時刻に電子ＰＯＰのコンテンツデータを設定、変更、更新することは、最低に見積もっても店舗数分の作業人員が必要となり、また、いずれの店舗に設置した電子ＰＯＰに、いずれの内容のコンテンツが設定されているのかを把握し特定することが大変に難しく、そのために人件費が掛かり過ぎるという問題があった。
【発明の開示】
【発明が解決しようとする課題】
【０００８】
本発明は、電子ＰＯＰサービス提供業者（ソフトウエアメーカー）が、当該サービス提供業者の端末により、スーパーマーケットやコンビニエンスストア、量販店等の流通業者の店舗（流通店舗）に設置される電子通信回線付きの電子ＰＯＰ機器に対して、店舗取扱い商品に関する流通商品情報や宣伝広告情報等のコンテンツデータを、その電子ＰＯＰ機器に直接接触して操作することなくインターネット等のネットワーク上のデータ管理サーバを介して配信して、商品情報や宣伝広告情報を表示させるとともに、配信するコンテンツデータを電子ＰＯＰ機器に設定したり登録したり、変更したり、更新したりすることができるようにすることにある。
【課題を解決するための手段】
【０００９】
本発明の請求項１に係る発明は、流通情報やその宣伝広告情報等を電子ＰＯＰ表示用のコンテンツデータに基づいて映像情報として出力表示する第１流通業者Ａ側の電子ＰＯＰ機器と、前記電子ＰＯＰ表示用のコンテンツデータを生成するための生成指定情報と流通品やその宣伝広告等に関する素材データを送信可能な第２流通業者側の端末機器と、前記電子ＰＯＰ表示用のコンテンツデータを配信する電子ＰＯＰサービス提供業者側のデータ管理サーバと、該第１流通業者側の電子ＰＯＰ機器と第２流通業者側の端末機器と電子ＰＯＰサービス提供業者側のデータ管理サーバとを接続するインターネット等の電気通信回線ネットワークとを備え、前記電子ＰＯＰサービス提供業者側のデータ管理サーバは、第２流通業者側の端末機器から送信された生成指定情報と流通品やその宣伝広告等に関する前記素材データに基づいて、電子ＰＯＰ表示用のコンテンツデータを生成して指定された第１流通業者側の電子ＰＯＰ機器に配信し、該電子ＰＯＰ機器は受信した前記コンテンツデータに基づいて映像情報を出力表示することを特徴とする電子ＰＯＰ表示情報配信システムである。
【００１０】
本発明の請求項２に係る発明は、上記請求項１に係る電子ＰＯＰ表示情報配信システムにおいて、前記電子ＰＯＰ機器は、電子ＰＯＰサービス提供業者側のデータ管理サーバからの指示により第１流通業者側に設置される電子ＰＯＰ表示情報配信システムである。
【００１１】
本発明の請求項３に係る発明は、上記請求項１に係る電子ＰＯＰ表示情報配信システムにおいて、前記第１流通業者側の電子ＰＯＰ機器は、第２流通業者側の端末機器からの指示により第１流通業者側に設置される電子ＰＯＰ表示情報配信システムである。
【発明の効果】
【００１２】
本発明の電子ＰＯＰ表示情報配信システムによれば、第１流通業者側（例えば流通店舗）に設置されている電子ＰＯＰ機器が電気通信回線による通信手段を備えているため、電子ＰＯＰサービス提供業者側のデータ管理サーバからネットワーク経由で、コンテンツデータを、それぞれ指定された電子ＰＯＰ機器に配信して送り込み、コンテンツデータに基づいた流通品情報や、その宣伝広告情報等を、映像情報として再生、放映することができる。
【００１３】
また本発明の電子ＰＯＰ表示情報配信システムによれば、第１流通業者側の１乃至複数基の電子ＰＯＰ機器がそれぞれ通信機能を持つのと同時に、それぞれ電子ＰＯＰ機器にはそれぞれを識別可能にするための固有識別コードや記号を付与されて、それぞれ電子ＰＯＰ機器は、識別可能となっているため、電子ＰＯＰサービス提供業者側のデータ管理サーバから、複数の電子ＰＯＰ機器を区別して、コンテンツデータを送り込むことが可能となる。
【００１４】
また、電子ＰＯＰサービス提供業者側のデータ管理サーバ上には、配信用コンテンツデータを生成するための素材データに基づいて、配信用コンテンツデータを生成するための配信用コンテンツデータ生成手段（アプリケーションプログラムを含む）を備えているため、第２流通業者側からパソコン等の端末機器にてネットワーク経由にて供給される生成指示情報（アプリケーションデータ、アプリケーションプログラムを含む）と、配信用コンテンツデータを生成するための素材データに基づいて、データ管理サーバ上にて、アプリケーションプログラムにより配信用のコンテンツデータ（配信データ）を生成することができる。
【００１５】
また、電子ＰＯＰサービス提供業者側のデータ管理サーバ上には、配信設定手段を備えているので、データ管理サーバ上で生成した配信用コンテンツデータの配信先（第１流通業者名や電子ＰＯＰ機器の固有識別コード記号など）や、その配信日時（期間）、配信するデータ内容などを配信設定手段にて設定することができる。
【００１６】
また、電子ＰＯＰサービス提供業者側のデータ管理サーバ上には、第１流通業者側の電子ＰＯＰ機器に配信されるコンテンツデータの配信日時やその配信内容等の配信実績（実績情報）を記録するタイマーやメモリによる配信実績計測手段を備えているため、第２流通業者側の端末機器にて、ネットワーク経由にて、その各々第１流通業者側の電子ＰＯＰ機器に対応する配信実績をデータ管理サーバから検索、収集することができる。
【発明を実施するための最良の形態】
【００１７】
本発明の電子ＰＯＰ表示情報配信システムを、その実施の形態に基づいて以下に詳細に説明すれば、図１は、本発明の電子ＰＯＰ表示情報配信システムを説明するシステムブロック図である。
【００１８】
図１に示すように、本発明の電子ＰＯＰ表示情報配信システムは、第１流通業者Ａ側の電子ＰＯＰ機器Ａａと、第２流通業者Ｂ側の素材データ（ソースデータ）を供給する端末機器Ｂａと、電子ＰＯＰサービス提供業者Ｃ側のデータ管理サーバＣａとを備え、前記電子ＰＯＰ機器Ａａと、端末機器Ｂａと、データ管理サーバＣａとは、インターネット等の電気通信回線ネットワークＮを介して接続されて構成されている。
【００１９】
前記第１流通業者Ａ側に配置される電子ＰＯＰ機器Ａａは、インターネット等の電気通信回線ネットワークＮに（必要応じて第１流通業者Ａ側の電気通信回線接続センターを介して）接続可能な通信手段を備え、その第１流通業者Ａの販売店舗（流通店舗）等に設置されていて、その店舗等にて、流通品情報や、その宣伝広告情報等を、ネットワークＮを介して配信されてくる電子ＰＯＰ表示用のコンテンツデータに基づいて、ディスプレイ画面に映像情報として再生、放映表示する。
【００２０】
また、電子ＰＯＰ機器Ａａには、必要に応じて、再生、放映に要した実績時間を積算するタイマーと、再生実績日時、再生実績映像（動画、静止画等の画像）情報名などを記録するメモリ等が搭載されたコンテンツ受信実績計測手段を備え、各々電子ＰＯＰ機器Ａａの再生放映実績情報が記録され、その実績情報は、定期的に確定実績情報としてネットワークＮを介して電子ＰＯＰサービス提供業者Ｃ側のデータ管理サーバＣａに送信されるようになっいる。
【００２１】
前記第２流通業者Ｂ側に配置される端末機器Ｂａ（パソコンなど）は、前記電子ＰＯＰ機器Ａａのディスプレイ画面に、流通品情報や、その宣伝広告情報等を画像情報として出力表示するための電子ＰＯＰ表示用のコンテンツデータを生成するための生成指定情報と、流通品やその宣伝広告に関する情報等の素材データ（ソースデータ）を送信することができる。
【００２２】
前記電子ＰＯＰサービス提供業者Ｃ側には、前記第２流通業者Ｂ側の端末機器Ｂａから送信されるコンテンツ生成指定情報と流通品やその宣伝広告に関するコンテンツデータの素材情報である素材データ（ソースデータ）に基づいて、電子ＰＯＰ機器Ａａに対する配信用コンテンツデータである電子ＰＯＰ表示用のコンテンツデータを生成するためのデータ管理サーバＣａを備えている。なお、前記電子ＰＯＰ表示用のコンテンツデータ（配信用データ）は、第２流通業者Ｂ側、又は電子ＰＯＰサービス提供業者Ｃ側が用意する専用のアプリケーションデータやアプリケーションプログラムに基づいて生成することができる。
【００２３】
また、前記電子ＰＯＰサービス提供業者Ｃ側には、前記データ管理サーバＣａにて書き込み読み出し可能なデータベースＣｂを備え、第２流通業者Ｂ側の端末機器Ｂａから送信される素材データ（ソースデータ）、アプリケーションデータ、アプリケーションブログラムデータや、電子ＰＯＰサービス提供業者Ｃ側の用意するアプリケーションデータ、アプリケーションブログラムデータや、データ管理サーバＣａにて生成される配信用の電子ＰＯＰ表示用のコンテンツデータ等を収容する。
【００２４】
電子ＰＯＰサービス提供業者Ｃ側のデータ管理サーバＣａは、第２流通業者Ｂ側の生成指定情報に基づいて、指定された第１流通業者Ａの電子ＰＯＰ機器Ａａに対してネットワークＮを介して電子ＰＯＰ表示用のコンテンツデータを配信し、そのコンテンツデータを受信した電子ＰＯＰ機器Ａａのディスプレイ画面は、そのコンテンツデータに基づいて、流通品情報やその宣伝広告情報等の映像情報（動画、静止画、文字等の画像情報）を表示するものである。
【００２５】
また、電子ＰＯＰサービス提供業者Ｃ側のデータ管理サーバＣａ上には配信用コンテンツデータを生成するための素材データに基づいて配信用コンテンツデータを生成するための配信用コンテンツデータ生成手段（アプリケーションプログラムを含む）を備える。
【００２６】
第２流通業者側からパソコン等の端末機器にてネットワーク経由にて供給される生成指示情報（アプリケーションデータ、アプリケーションプログラムを含む）と、配信用コンテンツデータを生成するための素材データに基づいて、データ管理サーバＣａ上にてアプリケーションプログラムにより配信用のコンテンツデータ（配信データ）を生成する。
【００２７】
また、電子ＰＯＰサービス提供業者Ｃ側のデータ管理サーバＣａ上には、配信設定手段を備える。データ管理サーバＣａ上で生成した配信用コンテンツデータの配信先（第１流通業者Ａの名称や電子ＰＯＰ機器Ａａの固有識別コード記号など）や、その配信日時（期間）、配信するデータ内容などを配信設定手段にて設定する。
【００２８】
また電子ＰＯＰサービス提供業者Ｃ側のデータ管理サーバＡａ上には、第１流通業者Ａ側の電子ＰＯＰ機器Ａａに配信されるコンテンツデータの配信日時やその配信内容等の実績情報（配信実績）を記録するタイマーやメモリによる配信実績計測手段を備える。そして、第２流通業者Ｂ側の端末機器Ｂａにて、ネットワーク経由にて、その各々第１流通業者Ａ側の電子ＰＯＰ機器Ａａに対応する配信実績を、データ管理サーバＣａから検索、収集することができる。
【００２９】
本発明の電子ＰＯＰ表示情報配信システムの実施に際しては、まず、第１流通業者Ａは第２流通業者Ｂ又は電子ＰＯＰサービス提供業者Ｃから、第１流通業者Ａ側への電子ＰＯＰ機器Ａａの設置の要望を受ける。そして、その第２流通業者Ｂ又は電子ＰＯＰサービス提供業者Ｃは、第１流通業者Ａから電子ＰＯＰ機器Ａａ設置の承諾を得る。
【００３０】
第１流通業者Ａから電子ＰＯＰ機器Ａａ設置の承諾を得た後は、その第１流通業者Ａの店舗等に、第２流通業者Ｂによって又は第２流通業者Ｂから発注を請けた電子ＰＯＰサービス提供業者Ｃによって、１乃至複数基の電子ＰＯＰ機器Ａａが設置される。
【００３１】
なお本発明においては、第１流通業者Ａとは、例えば、流通品（又は商品）を企画、販売する商社、問屋、卸売業、小売業などであり、第２流通業者Ｂとは、例えば、流通品（又は商品）を製造、加工、処理する製造業者、加工業者、処理業者である。また、第１流通業者Ａと第２流通業者Ｂとは、互いに異なる業者、又は同一経営の業者や同一グループ経営の業者（例えば、製造販売業者）、あるいは親会社と子会社であってもよい。
【００３２】
本発明の電子ＰＯＰ表示情報配信システムは、図２〜図４に示すシステムフローチャート図に基づいて運用される。
【００３３】
図２は、第１流通業者Ａ側への電子ＰＯＰ機器Ａａの設置と、第２流通業者Ｂから電子ＰＯＰサービス提供業者Ｃへの電子ＰＯＰ表示用のコンテンツデータ生成のための素材データの登録と、電子ＰＯＰ機器Ａａの映像情報（動画、静止画、文字等の画像情報）の再生・放映までを説明するフローチャート図である。
【００３４】
＜Ｓ１ａ＞
まず、電子ＰＯＰサービス提供業者Ｃは、第１流通業者Ａの店舗に電子ＰＯＰ機器Ａａを設置する。                                                                    
【００３５】
＜Ｓ１ｂ＞
第２流通業者Ｂの端末機器ＢａからネットワークＮを介して、電子ＰＯＰサービス提供業者Ｃのデータ管理サーバＣａに対象流通商品に関する生成指示情報、コンテンツデータ（素材データ）、必要応じてアプリケーションデータ等を送信してデータベースＣｂに登録する。
【００３６】
＜Ｓ２＞
電子ＰＯＰサービス提供業者Ｃのデータ管理サーバＣａは、登録された生成指示情報、コンテンツデータ（素材データ）を、アプリケーションデータ（電子ＰＯＰサービス提供業者Ｃが用意したアプリケーションプログラム）に基づき、配信形式コンテンツデータに変換する。
【００３７】
＜Ｓ３＞
第２流通業者Ｂは端末機器ＢａをネットワークＮを介して電子ＰＯＰサービス提供業者Ｃのデータ管理サーバＣａに接続してサービス管理用の入力画面を開く。
【００３８】
＜Ｓ４＞
第２流通業者Ｂは端末機器Ｂａにてデータ管理サーバＣａに、第１流通業者Ａに配信すべき固有の各々電子ＰＯＰ機器Ａａと、配信日時、配信すべきコンテンツデータ等の指定情報を入力し、登録する。
【００３９】
＜Ｓ５＞
電子ＰＯＰサービス提供業者Ｃのデータ管理サーバＣａは、端末機器Ｂａにより登録された指定情報に基づき、第１流通業者Ａの店舗の指定された各々電子ＰＯＰ機器Ａａへ、指定されたコンテンツデータ等の配信を開始する。
【００４０】
＜Ｓ６＞
第１流通業者Ａの店舗内の指定された各々電子ＰＯＰ機器Ａａは、電子ＰＯＰサービス
提供業者Ｃのデータ管理サーバＣａから配信された、指定のコンテンツデータ等を受信する。
【００４１】
＜Ｓ７＞
第１流通業者Ａの店舗内の指定された各々電子ＰＯＰ機器Ａａは、受信した指定のコンテンツデータ等に基づき流通品情報、広告情報に関する情報を画像再生、放映する。
【００４２】
図３は、第２流通業者Ｂから電子ＰＯＰサービス提供業者Ｃへの電子ＰＯＰ表示用のコンテンツデータ生成のための素材データの変更・登録と、第１流通業者Ａの電子ＰＯＰ機器Ａａの変更（更新）された映像情報（動画、静止画、文字等の画像情報）の再生・放映までを説明するフローチャート図である。
【００４３】
＜Ｓ１＞
第２流通業者Ｂが端末機器ＢａからネットワークＮを介して電子ＰＯＰサービス提供業者Ｃのデータ管理サーバＣａに、変更する生成指定情報、変更するコンテンツデータ（素材データ）を送信してデータ管理サーバＣａのデータベースＣｂに登録する。
【００４４】
＜Ｓ２＞
データ管理サーバＣａは登録された変更生成指定情報や、変更コンテンツデータ（素材データ）をアプリケーションデータに基づき配信形式のコンテンツデータに変換する。
【００４５】
＜Ｓ３＞
第２流通業者Ｂは端末機器ＢａをネットワークＮを介して電子ＰＯＰサービス提供業者Ｃのデータ管理サーバＣａに接続してサービス管理用の入力画面を開く。
【００４６】
＜Ｓ４＞
第２流通業者Ｂは端末機器Ｂａにて、データ管理サーバＣａに配信すべき固有の各々電子ＰＯＰ機器Ａａと、配信日時、配信すべきコンテンツデータ等の指定情報を入力し、変更、登録する。
【００４７】
＜Ｓ５＞
データ管理サーバＣａは、第２流通業者Ｂの端末機器Ｂａにより変更登録された指定情報に基づき流通業者Ａの店舗の指定された各々電子ＰＯＰ機器Ａａへ、指定された変更コンテンツデータの配信を開始する。
【００４８】
＜Ｓ６＞
第１流通業者Ａの店舗内の指定された各々電子ＰＯＰ機器Ａａは、データ管理サーバＣａから配信された指定の変更コンテンツデータ等を受信する。
【００４９】
＜Ｓ７＞
第１流通業者Ａの店舗内の指定された各々電子ＰＯＰ機器Ａａは、受信した指定の変更コンテンツデータ等に基づき、更新された流通品情報、その広告や宣伝に関する映像情報（動画、静止画、文字等の画像情報）を再生、放映する。
【００５０】
図４は、第１流通業者Ａ側の電子ＰＯＰ機器Ａａの映像情報（動画、静止画、文字等の画像情報）の再生実績の照会と、第１流通業者Ａ、第２流通業者Ｂ、電子ＰＯＰサービス提供業者Ｃ間の電子ＰＯＰ情報サービスの提供と利用における再生実績の課金の算出、課金の請求、支払いの運用例を説明するフローチャート図である。
【００５１】
また図５は、その第１流通業者Ａ、第２流通業者Ｂ、電子ＰＯＰサービス提供業者Ｃ間
の電子ＰＯＰ情報サービスの提供と利用における再生実績の課金の算出、課金の請求、支払いの運用例を説明するブロック図である。
【００５２】
＜Ｓ１＞
第２流通業者Ｂは端末機器ＢａをネットワークＮを介して電子ＰＯＰサービス提供業者Ｃのデータ管理サーバＣａに接続してサービス管理用の入力画面を開く。
【００５３】
＜Ｓ２＞
第２流通業者Ｂは端末機器Ｂａにて、データ管理サーバＣａに、第１流通業者の固有の各々電子ＰＯＰ機器Ａａを指定し、その実績情報（各々再生、放映実績時間、再生、放映実績コンテンツ内容等の配信実績データ）を照会する。
【００５４】
＜Ｓ３＞
データ管理サーバＣａは、第２流通業者Ｂの端末機器Ｂａより照会された指定された電子ＰＯＰ機器Ａａ（固有コード）の実績情報を、各々電子ＰＯＰ機器Ａａから送信されて受信収拾した実績情報の中から検索し、端末機器Ｂａにその電子ＰＯＰ機器Ａａの実績情報（各々再生、放映実績時間、再生、放映実績コンテンツ内容等の配信実績データ）を回答送信する。
【００５５】
＜Ｓ４＞
第２流通業者Ｂは端末機器Ｂａにてデータ管理サーバＣａからの受信した指定した電子ＰＯＰ機器Ａａの実績情報を受信する。
【００５６】
＜Ｓ５＞
第２流通業者Ｂは端末機器Ｂａにて受信した指定した電子ＰＯＰ機器Ａａの実績情報に基づいて、電子ＰＯＰサービス提供業者Ｃへのデータ管理サーバＣａの運用費、第１流通業者Ａへの電子ＰＯＰ表示手数料等を、一定期間毎に算出して確定する。
【図面の簡単な説明】
【００５７】
【図１】本発明の電子ＰＯＰ表示情報配信システムを説明するシステムブロック図。
【図２】本発明の電子ＰＯＰ表示情報配信システムにおける電子ＰＯＰ機器の設置とデータ登録と映像情報（画像情報）の再生を説明するシステムフローチャート図。
【図３】本発明の電子ＰＯＰ表示情報配信システムにおける変更（更新）とデータ登録と映像情報（画像情報）の再生を説明するシステムフローチャート図。
【図４】本発明の電子ＰＯＰ表示情報配信システムにおける再生実績照会と課金算出を説明するシステムフローチャート図。
【図５】本発明の電子ＰＯＰ表示情報配信システムにおける課金の請求、支払いを説明するシステムフローチャート図。
【符号の説明】
【００５８】
Ａ…第１流通業者（例えば販売業者）
Ａａ…電子ＰＯＰ機器
Ｂ…第２流通業者（例えば製造、加工業者）
Ｂａ…端末機器
Ｃ…電子ＰＯＰサービス提供業者（例えば情報サービス業者）
Ｃａ…データ管理サーバ                                                          Ｃｂ…データベース
Ｎ…ネットワーク
【図１】
2009058737.tif 000003
【図２】
2009058737.tif 000004
【図３】
2009058737.tif 000005
【図４】
2009058737.tif 000006
【図５】
2009058737.tif 000007